(57)【要約】【課題】多数の撮影コマ画像を画像サーバに預けている場合でも、その中から手間をかけずに所望の撮影コマ画像を指定して、写真プリント注文を行うことができる写真プリントシステムを提供する。【解決手段】入力された撮影コマ画像を格納する画像サーバ部６と、撮影コマ画像に関する写真プリント注文を管理する注文サーバ部５と、撮影コマ画像と各撮影コマ画像に割り当てられたコマ番号と注文サーバ部のアドレスコードをプリントしたインデックスプリントＩＰを出力するとともに注文サーバ部からのプリント依頼に応じて写真プリントを出力するプリントステーション２０とから構成され、注文サーバ部はアドレスコードでアクセスしてきたユーザ端末７に対してインデックスプリントのコマ番号リストを送信するとともに前記コマ番号リストに基づく写真プリントＦＰの注文を受信する。【選択図】        図１
2005223526.tif 000002
【特許請求の範囲】
【請求項１】
入力された撮影コマ画像を格納する画像サーバ部と、前記撮影コマ画像に関する写真プリント注文を管理する注文サーバ部と、前記撮影コマ画像と前記撮影コマ画像に割り当てられたコマ番号と前記注文サーバ部のアドレスコードをプリントしたインデックスプリントを出力するとともに前記注文サーバ部からのプリント依頼に応じて前記撮影コマ画像の写真プリントを出力するプリント出力部とから構成され、前記注文サーバ部はネットワークを介して前記アドレスコードでアクセスしてきたユーザ端末に対して前記インデックスプリントにプリントされた前記コマ番号のリストを送信するとともに前記ユーザ端末から受信した前記コマ番号のリストに基づく写真プリント注文を処理して前記プリント出力部にプリント依頼を与えることを特徴とする写真プリントシステム。
【請求項２】
前記アドレスコードは前記注文サーバ部のＵＲＬを二次元コード化したものであり、前記ユーザ端末としてのインターネット接続可能な携帯電話に装備された二次元コードリーダによって読み取り可能であることを特徴とする請求項１に記載の写真プリントシステム。
【請求項３】
前記アドレスコードは前記インデックスプリント単位で発行されることを特徴とする請求項１又は２に記載の写真プリントシステム。
【請求項４】
前記アドレスコードはユーザ単位で発行されることを特徴とする請求項１又は２に記載の写真プリントシステム。
【請求項５】
前記注文サーバ部はアクセスしてきたユーザ端末にコマ番号欄とプリント枚数欄からなる注文表を送付し、ユーザによって書き込まれたプリント枚数を含む注文表を受信することを特徴とする請求項１〜４のいずれか１項に記載の写真プリントシステム。
【発明の詳細な説明】
【技術分野】
【０００１】
本発明は、銀塩フィルムカメラやデジタルカメラなどの撮影機器で取得された多数の撮影コマ画像を格納する画像サーバを利用してユーザが注文する任意の撮影コマ画像の写真プリントを出力する写真プリントシステムに関する。
【背景技術】
【０００２】
ユーザから預かった写真フィルムやメモリカードに記録された撮影コマ画像を画像サーバに一時的に格納しておいて、これらの撮影コマ画像を一覧化して１枚の写真プリントとして出力したインデックスプリントをユーザに渡すことで、ユーザが任意の撮影コマ画像を指定して写真プリントを注文する際の便宜が図られている。
【０００３】
例えば、各画像コマごとにプリント枚数記入欄が付いたインデックスプリントをユーザに渡し、ユーザが写真プリントを注文する場合ユーザがインデックスプリントのプリント枚数記入欄にプリント枚数を記入してＤＰショップに提出することで、写真ショップ側はこのインデックスプリントを通じて、プリント枚数記入欄に記載されたプリント枚数を画像読み込み手段に読み込ませ、この画像読み込み手段からのプリント枚数情報を解析部が解析し、そのプリント枚数情報通りに写真プリントを出力する写真プリント装置が提案されている（例えば、特許文献１参照。）。このような写真プリント装置を採用することで、ユーザが従来のように写真プリントを注文する際に写真フィルムやメモリカードといった画像ソース媒体を持参する面倒さを解消することが可能となるが、いずれにしても写真プリントを注文する際には所望の撮影コマ画像に対するプリント枚数記入欄にプリント枚数を記入した上でそのインデックスプリントを写真ショップに持参しなければならない。
【０００４】
写真プリントの注文時に写真ショップに出向かなければならない面倒さを解消するため、予め撮影コマ画像を格納している画像サーバのＵＲＬをバーコード化してプリントしたカードをユーザに渡し、プリント写真注文時にはユーザはコンビニ等に設置された専用端末に接続されたバーコードリーダを用いてバーコード化された画像サーバのＵＲＬを読み取り、この画像サーバにアクセスして格納されている撮影コマ画像をダウンロードし、モニタに表示された撮影コマ画像を見ながら写真プリント出力したいものを指定して写真プリント注文を行うものがある（例えば、特許文献２参照。）。このようなシステムでは、各地に点在するコンビニ等に専用端末を設置することで、ある程度写真プリント注文時のユーザの便宜を図ることが可能となるが、画像サーバに格納している撮影コマ画像の数が多数の場合モニタに表示される撮影コマ画像を順次見ながら所望の画像を探し出すのはかなりの手間を要する。特に、数百メガバイトのメモリカードを使用したデジタルカメラによる撮影コマ画像では撮影枚数が数百枚にも及ぶため、所望の撮影コマ画像をモニタを見ながら探し出すことは大変な手間となる。
【０００５】
【特許文献１】特開２００２−１３１８５０号公報（段落番号０００９−００１１、図５）
【特許文献２】特開２００２−５５９００号公報（段落番号００２６−００３８、図２、図８）
【発明の開示】
【発明が解決しようとする課題】
【０００６】
上記実状に鑑み、本発明の課題は、多数の撮影コマ画像を画像サーバに預けている場合でも、その中から手間をかけずに所望の撮影コマ画像を指定して、写真プリント注文を行うことができる写真プリントシステムを提供することである。
【課題を解決するための手段】
【０００７】
上記課題を解決するため、本発明による写真プリントシステムは、入力された撮影コマ画像を格納する画像サーバ部と、前記撮影コマ画像に関する写真プリント注文を管理する注文サーバ部と、前記撮影コマ画像と前記撮影コマ画像に割り当てられたコマ番号と前記注文サーバ部のアドレスコードをプリントしたインデックスプリントを出力するとともに前記注文サーバ部からのプリント依頼に応じて前記撮影コマ画像の写真プリントを出力するプリント出力部とから構成され、前記注文サーバ部はネットワークを介して前記アドレスコードでアクセスしてきたユーザ端末に対して前記インデックスプリントにプリントされた前記コマ番号のリストを送信するとともに前記ユーザ端末から受信した前記コマ番号のリストに基づく写真プリント注文を処理して前記プリント出力部にプリント依頼を与える。
【０００８】
この構成では、ユーザから預かった多数の撮影コマ画像を画像サーバ部に格納するとともにこの撮影コマ画像を預けたユーザに対してこれらの撮影コマ画像と各撮影コマ画像に割り当てられた識別記号としてのコマ番号と前記注文サーバ部のアドレスとを含むインデックスプリントを渡すので、ユーザはこのインデックスプリントを見て写真プリントにしたい撮影コマ画像を決定することができるとともに、同様にインデックスプリントに記録されているアドレスコードを用いて手持ちのユーザ端末から注文サーバ部にアクセスすることで送られてくるコマ番号リストを利用して先に決定した写真プリントのための撮影画像コマのコマ番号に所望のプリント枚数を書き込んで注文サーバ部に送り返す。このようなユーザ端末と注文サーバ部との間のデータ交換はインターネットで利用されているＨＴＴＰに基づくＨＴＭＬ文書やＪＡＶＡ（登録商標）アプレットを用いると好都合である。注文サーバ部がユーザ端末から受け取った指定撮影コマ画像のプリント枚数を含むコマ番号リストから写真プリント依頼コマンドを生成してプリント出力部に与える。プリント出力部は写真プリント依頼コマンドに基づいて画像サーバ部から該当する撮影コマ画像（詳しくは撮影コマ画像の画像データ）を読み出して、写真プリントを作成する。つまり、ユーザは、一般的に写真プリント画質を有するインデックスプリントの撮影コマ画像の一覧から写真プリントに適したものを選び、そのコマ番号をチェックしておき、同じインデックスプリントに記録されているアドレスコードを用いて注文サーバ部にアクセスすることでモニタに表示されるコマ番号リストの該当箇所にプリント枚数を書き込んで注文サーバ部に送信するだけで、写真プリント注文が完了するので、画像サーバに預けられている撮影コマ画像が多数であっても、手間をかけずに所望の撮影コマ画像の写真プリント注文を行うことができる。
【０００９】
本発明による写真プリントシステムをより効果的に運用するためには、ユーザ端末として出来るだけ携帯性に優れた機器が望ましい。ユーザ端末としてコンビニ等に設置される専用のネットワーク端末を採用するならば、ユーザは写真プリント注文の度にコンビニ等を訪れなければならない。また、ユーザ端末として、家庭のパソコンを採用するとユーザは自宅で写真プリント注文を行うことが可能となるが、外で友達とともに写真プリント注文を行うといったことが困難である。このような問題点を解決する最適なユーザ端末として、インターネット接続可能な携帯電話が提案される。さらにカメラ付き携帯電話の多くは二次元コード（ＱＲコード）のリーダ機能を備えているので、インデックスプリントにプリントされているアドレスコードを注文サーバ部のＵＲＬをそのような携帯電話の二次元コードリーダによって読み取り可能な二次元コード化したものとすることで、インデックスプリントと携帯電話とで写真プリント注文がいつでもどこからでも可能となる。
【００１０】
インデックスプリントにプリントされているアドレスコードを入力するだけで該当するインデックスプリントに対応する注文ページにアクセスできるように注文サーバ部のアドレスコードとしては、前記インデックスプリント単位で発行されるものが好適である。つまり、インデックスプリントを作成する毎に、そのコマ番号のための注文ページ（注文リスト）の格納アドレスまでをコード化してインデックスプリントにプリントすることで、そのインデックスプリントと一義的にリンクされる注文ページを即座に呼び出すことが可能となる。また、一人のユーザが多くのインデックスプリントを保有するようなケースでは、ユーザ単位で発行されるアドレスコードをインデックスプリントにプリントすることで、そのユーザと一義的にリンクされる注文ページを即座に呼び出し、複数のインデックスプリントに関する写真プリント注文を行うことが可能となる。
【００１１】
注文サーバ部が、アクセスしてきたユーザ端末に対して送り出す最も簡単な注文ページとしてコマ番号欄とプリント枚数欄からなる注文表が提案されるが、この注文表にユーザはインデックスプリントを見て選んだ写真プリント出力を希望する撮影コマ画像のコマ番号にプリント枚数を書き込んで注文サーバ部に送信するだけで、写真プリント注文が完了する。このように簡単な注文表とすることで、携帯電話のような小さな表示画面しかもたないユーザ端末を使っても多数の中から選択した撮影コマ画像の写真プリント注文が手間なく簡単にできる。
本発明によるその他の特徴及び利点は、以下図面を用いた実施形態の説明により明らかになるだろう。
【発明を実施するための最良の形態】
【００１２】
本発明による写真プリントシステムにおけるインデックスプリントＩＰを用いた写真プリントＦＰの注文・出力のモデルを図１を用いて説明する。この写真プリントシステムは、銀塩フィルムカメラによって写真フィルムＭａに形成された撮影コマ画像やデジタルカメラによってメモリカードＭｂに格納された撮影コマ画像をユーザより受け取る受付機４と、受け取った撮影コマ画像（詳しくは撮影コマ画像データであるが特に区別しなければならない場合を除いて撮影コマ画像という語句を用いる）を一時的に格納する画像サーバ部６と、受け取った撮影コマ画像に基づいて写真プリントＦＰや後で詳しく説明する二次元コード（好ましくはＱＲコード）付きインデックスプリントＩＰを出力するプリント出力部としての写真プリント装置１と、ユーザがインデックスプリントＩＰの二次元コードを読み取ることで得られるアドレスとしてのＵＲＬを用いてアクセスしてきた端末７に対してプリント注文ページを送信するとともに、ユーザによって書き込まれたプリント枚数を受け取ってプリント注文情報を作成して前記写真プリント装置１に転送する注文サーバ部５とから構成されている。
【００１３】
本発明による写真プリントシステムの具体的な構成例が図２に示されている。プリント写真装置１は、印画紙Ｐに対して露光処理と現像処理とを行う写真プリンタとしてのプリントステーション２０と、受け取った撮影コマ画像に必要な画像処理を施してプリントステーション２０で使用されるプリントデータに変換して転送する操作ステーション１０とからなる、いわゆるデジタルミニラボと呼ばれる装置である。図３からよく理解できるように、プリントステーション２０は、２つの印画紙マガジン２１に納めたロール状の印画紙Ｐを搬送してプリントサイズに切断すると共に、この切断された印画紙Ｐに対しプリントエンジンとしての露光エンジン２２で撮影コマ画像の露光を行い、この露光後の印画紙Ｐを複数の現像処理槽を有した現像処理部２３に送って現像する。乾燥の後に装置上部の横送りコンベア２４からソータに送られた印画紙Ｐ、つまり写真プリントＦＰやインデックスプリントＩＰは、このソータの複数のトレイにオーダ単位で仕分けられた状態で集積される。上述した印画紙Ｐに対する各種処理に合わせた搬送速度で印画紙Ｐを搬送するために複数のチャッカー搬送ユニット２５ａを含む印画紙搬送機構２５が設けられている。
【００１４】
露光エンジン２２は、操作ステーション１０から送られてくるプリントデータに基づいて印画紙Ｐを送りながらＲ（赤）、Ｇ（緑）、Ｂ（青）の３原色の光線の照射を印画紙Ｐに対して行うものであり、露光時には印画紙Ｐを副走査方向に搬送しながら、この搬送速度と同期して主走査方向に沿ったライン状に露光を行うよう構成されている。尚、露光ヘッドとしては、露光仕様に応じて、レーザビーム方式、蛍光ビーム方式、液晶シャッター方式、ＤＭＤ方式などの採用が可能であるが、ここではレーザビーム方式が採用されている。いずれにしても、ライン露光方式を採用しているので、プリントサイズは印画紙Ｐの幅と副走査方向での送り長さで決定される。
【００１５】
図２に示すように、操作ステーション１０のデスク状コンソールには、受け取った撮影コマ画像の処理を行う機能やプリントステーション２０に制御コマンドを送る機能などを有するコントローラ３０としての汎用パソコン及び各種情報を表示するモニタ１１や各種設定や調整を行う際に用いるキーボード１２やマウス１３が接続されている。
【００１６】
ユーザ（顧客）が持参してきた撮影コマ画像を記録しているメモリカードＭｂや写真フィルムＭａから撮影コマ画像を受け取るとともにユーザ情報や注文情報を入力させる受付機４の一例が図４に示されている。この受付機４は、メモリカードＭｂから撮影コマ画像を取り込むメディアリーダ４１と、ＤＶＤーＲやＣＤ−ＲＯＭに保存された撮影コマ画像などの画像データを取り込む光ドライブ４２と、現像済みの写真フィルムＭａから撮影コマ画像を光電変換によって取り込むフィルムスキャナ４３を備え、また、正面にユーザ操作入力部として機能するタッチパネル４４付き液晶モニタ４５を備え、更に、プリント注文受領証を出力する受領証出力機構４６を備えている。ここで読み取られた撮影コマ画像のうちプリント注文対象となる撮影コマ画像を写真プリント装置１によるプリント処理に必要な注文情報と組み合わせてプリント注文ファイルが作成され、受付機４から通信ネットワークを介して写真プリント装置１に送られる。
【００１７】
この受付機４に備えられているメディアリーダ４１や光ドライブ４２やタッチパネル４４付きのモニタ４５などの外部機器とＩ／Ｏインターフェースを介して接続されているコントローラ４０においてハードウエアやソフトウエア（プログラム）によって実現する代表的な機能としては、図３で模式的に示されているように、ユーザが提供するメモリカードＭｂ又は光ディスクからメディアリーダ４１や光ドライ４２を介して取り込まれた撮影コマ画像や写真フィルムＭａからフィルムスキャナ４３を介して取り込まれた撮影コマ画像を一時保管するために画像サーバ部５に転送したり撮影コマ画像のプリント出力のために写真プリント装置に転送する画像転送部４０ａ、プリント注文操作案内や各種操作ボタンなどを含むグラフィック操作画面の作成やそのようなグラフィック操作画面を通じてのユーザ操作入力（タッチパネル１４による）から制御コマンド等を生成するグラフィックユーザインターフェース（以下ＧＵＩと略称する）を構築するＧＵＩ部４０ｂ、ユーザによって入力されたプリント注文指示を注文サーバ部５に転送する注文データ転送部４０ｃなどが挙げられる。
【００１８】
画像サーバ部６は、データベースコントローラ６０として機能する汎用パソコンと、複数のハードディスクからなる大容量画像データアーカイブユニット６１とから構成され、データベースコントローラ６０は写真プリント装置１のコントローラ３０の要求に基づいて撮影コマ画像（画像データ）の検索・抽出、読み書き等の画像データ管理機能を有している。
【００１９】
注文サーバ部５は、図５に示されているように、ＷＷＷサーバユニット５０とアプリケーションサーバユニット５１から構成されており、アプリケーションサーバ５１の内容は後で詳しく説明されるが、インターネット８を通じてユーザから申し込まれた写真プリント注文を写真プリント装置１に転送する機能をもっている。
【００２０】
本発明による写真プリントシステムでは、ユーザが受付機４を通じて撮影コマ画像を入力して、その撮影コマ画像を画像サーバ部６に一時的に保管するならば、それらの撮影コマ画像の同時プリントを依頼しようとしまいと、図６に示すようなインデックスプリントＩＰが写真プリント装置１によって出力され、ユーザに渡される。このインデックスプリントＩＰには、縮小された撮影コマ画像の一覧が各撮影コマ画像に一義的に割り当てられたコマ番号とともにプリントされており、さらにその右下側に二次元コード、この実施形態ではＱＲコードもプリントされている。
【００２１】
このＱＲコードは、注文サーバ部５のＷＷＷサーバユニット５０のドメイン名とこのＱＲコードをプリントしているインデックスプリントＩＰに含まれている撮影コマ画像の写真プリント注文に関するページが格納されている階層位置（ディレクトリ）からなるＵＲＬをコード化したものであるので、ユーザは、このＱＲコードをデコードすることで得られた文字列を用いて注文サーバ部５のＷＷＷサーバユニット５０の関連ページに直接アクセスして、そのページを読み込むことが可能となる。ＱＲコードのデコード機能とＷＷＷサーバユニット５０へのインターネットアクセス機能の両方を備えたユーザ端末７としては、カメラ付き携帯電話７が好都合である。カメラ付き携帯電話７の多くはＱＲコードのデコード機能を備えているし、そうでない場合でも、たいていはＱＲコードのデコード機能を追加することが可能である。このようなＱＲコードのデコード機能付き携帯電話をユーザ端末７として用いるなら、インデックスプリントＩＰにプリントされているＱＲコードを携帯電話７で読み取り、デコードされたアドレスを用いてＷＷＷサーバユニット５０に直接アクセスすることできる。
【００２２】
注文サーバ部５のアプリケーションサーバユニット５１には、注文ページ作成部５１ａと注文情報作成部５１ｂがプログラムによって構築されている。注文ページ作成部５１ａは、前述したインデックスプリントＩＰにプリントされている撮影コマ画像のコマ番号リストと対応するプリント枚数書き込み欄からなる注文表をＨＴＭＬ文書の形式（その他の形式を採用しても良い）で作成することができ、作成された注文表を記載したページは、そのＱＲコードでアクセスできるＷＷＷサーバユニット５０のアドレスに格納される。ユーザがこのアドレスにアクセスして、そのページ（ＨＴＭＬ文書）をユーザ端末７に読み込んだ際に表示される画面の一例が図７に示されている。インデックスプリントＩＰに含まれている任意の撮影コマ画像の写真プリント注文を行う場合には、図７で示されたようなコマ番号リスト形式の注文表に載っている所望のコマ番号のプリント枚数書き込み欄にプリント枚数を書き込み、このプリント枚数を含むコマ番号リストをＷＷＷサーバユニット５０に送信すると、ＷＷＷサーバユニット５０は、この注文表の内容、つまり写真プリントすべきコマ番号とプリント枚数を注文情報作成部５１ｂに与え、注文情報作成部５１ｂで写真プリント装置１のコントローラ３０が解釈できる注文情報に変換させる。この注文情報は、コントローラ３０に転送されることで、写真プリント注文として処理される。コントローラ３０でこの写真プリント注文を処理する際、注文情報に含まれているコマ番号自体を検索キーとして、又はコマ番号だけでは不十分な場合コマ番号とインデックスプリントのＩＤから構成する検索キーを用いて、画像サーバ部６から該当する撮影コマ画像の画像データが読み込まれる。
【００２３】
以下に、本発明による写真プリントシステムにおけるインデックスプリントＩＰを仲介とした写真プリント注文の典型的な流れを注文準備段階を示す図８のフローチャートと注文実行段階を示す図９のフローチャートを用いて説明する。
ユーザは、受付機４のメディアリーダ４１にデジタルカメラで取得された撮影コマ画像を記録しているメモリカードＭｂを投入する（＃１０）。タッチパネル４４に表示されるガイドに従ってユーザ名などのユーザ情報を入力するが（＃１１）、このステップは省略可能である。投入されたメモリカードＭｂから撮影コマ画像が読み込まれ（＃１２）、読み込まれた全ての撮影コマ画像にコマ番号と前コマ共通のオーダＩＤを割り当てる（＃１３）。このオーダＩＤはインデックスプリントＩＰのＩＤとしても用いることができる。
【００２４】
読み込まれた撮影コマ画像に対してインデックスプリント出力のみを行うのかあるいは写真プリント出力も行うのかをチェックする（＃１４）。写真プリント出力も行う場合は、それ自体はよく知られた写真プリント選択ルーチンにジャンプして読み込まれた撮影コマ画像の一覧画面を表示しながら、写真プリント出力の対象となる撮影コマ画像の選択を行い、選択された撮影コマ画像のコマ番号を写真プリント装置１のコントローラ３０に送る（＃１５）。読み込まれた全ての撮影コマ画像の画像データを画像サーバに転送してオーダＩＤで階層化された格納位置に格納するとともに（＃１６）、インデックスプリントＩＰ用の縮小版の全撮影コマ画像の画像データと必要に応じての写真プリントＦＰ用の画像データをコマ番号及びオーダＩＤとともにコントローラ３０に転送する（＃１７）。ここでは、写真プリント出力は不要で、インデックスプリントＩＰだけが出力されるとする。コントローラ３０は、そのＱＲコード作成部３１を用いて、ＷＷＷサーバユニット５０のドメイン名とこのオーダＩＤ（インデックスＩＤ）に関する注文ページが格納されるディレクトリからなるＵＲＬ（例えばwww.camara.jp/osaka/xyz/ABC/002.htm）をＱＲコード化し（＃１８）、このＱＲコードと先に受け取っている縮小版の全撮影コマ画像を一覧化したインデックスプリント用データとを合成して、ＱＲコード付きインデックスプリントＩＰのためのプリントデータを作成し、プリントステーション２０に送る（＃１９）。プリントステーション２０において、図６に示すようなインデックスプリントＩＰが出力されるとユーザに手渡される（＃２０）。これにより注文準備段階が完了する。このインデックスプリントＩＰを仲介とした写真プリント注文を得るために、インデックスプリントＩＰは無料又はかなり安くすることが望ましい。
【００２５】
次に写真プリント注文を行う手順を説明する。図６に示すようなインデックスプリントＩＰを手にしたユーザは、インデックスプリントＩＰにプリントされている撮影コマ画像を見ながら写真プリントにしたい画像を決める（＃３０）。写真プリント注文すべき撮影コマ画像が決まると、そのインデックスプリントＩＰにプリントされているＱＲコードをＷｅｂブラウザ機能を有する携帯電話７のＱＲコードリーダ機能を用いて読み取る（＃３１）。読み取られたＱＲコードはデコードされて注文サーバ５のＵＲＬを表す文字列に変換されるので、このＵＲＬ（正確にはＷＷＷサーバユニット５０のページアドレス）に対してアクセスする（＃３２）。ＵＲＬはＷＷＷサーバユニット５０内のこのインデックスプリントＩＰのためのページに至るアドレスを含んでいるので、今注文の対象となっているインデックスプリントＩＰのための図７に示すような注文表が携帯電話７にダウンロードされ画面表示される（＃３３）。表示された注文表に対して、携帯電話のボタンを操作して、写真プリント注文すべき撮影コマ画像がもつコマ番号のプリント枚数欄に所望の枚数を書き込んでいく（＃３４）。注文すべき全ての撮影コマ画像に対するプリント枚数の書き込みを終えると、この注文表の内容をＷＷＷサーバユニット５０に送信する（＃３５）。
【００２６】
ユーザ端末としての携帯電話７から送信されてきた注文内容（コマ番号とプリント枚数）はＷＷＷサーバユニット５０から注文情報作成部５１ｂに転送され、写真プリント装置１が処理可能なフォーマットをもった注文情報に変換作成される（＃３６）。注文情報作成部５１ｂで作成された注文情報は写真プリント装置１のコントローラ３０に送られると（＃３７）、注文情報処理部３２が注文情報に含まれるコマ番号から検索キーを作成して、画像サーバ部６に対して該当する撮影コマ画像の画像データを抽出して転送することを要求する（＃３８）。コントローラ３０は、画像サーバ部６から該当する撮影コマ画像の画像データを受け取ると適当な画像処理を施して写真プリントＦＰのためのプリントデータを作成し、注文情報に含まれているプリント枚数だけ写真プリント出力を行うようにプリントステーション２０に要求する（＃３９）。プリントステーション２０から注文通りの写真プリントＦＰが出力されると（＃４０）、ユーザに対して郵送するか、あるいは注文写真プリント完了の通知をユーザ端末７に送信する。なお、注文サーバ５が写真プリント装置１の稼働状態を把握できている場合、ユーザ端末７からの注文送信に対する返答として、注文された写真プリントＦＰの仕上がり予定日時情報を送信するように構成するとユーザにとって好都合である。
【００２７】
上記実施形態の説明では、ＱＲコード化されるアドレスコードとしてのＵＲＬはＷＷＷサーバユニット５０のドメイン名と各インデックスプリントＩＰに関する注文ページが格納されるディレクトリとから構成されるものとしていたので、そのＵＲＬにアクセスすることで直接各インデックスプリントＩＰのための注文ページがダウンロードされたが、一人のユーザが多くのインデックスプリントＩＰを保有し、複数のインデックスプリントＩＰに基づいて写真プリントＦＰを注文するようなケースに対しては、むしろ、ユーザ単位で注文ページを格納するディレクトリを設定しておき、そのユーザ単位のアドレスコード（ＵＲＬ）をＱＲコード化してインデックスプリントＩＰにプリントしておくとよい。これにより、ユーザは、各ユーザと一義的にリンクされる注文ページを即座に呼び出すことができ、その注文ページを通じて複数のインデックスプリントＩＰに関する写真プリント注文を行うことが可能となる。
【００２８】
上述の実施形態の説明では、ユーザが受付機４を通じて撮影コマ画像を入力して、その撮影コマ画像が画像サーバ部６に一時的に保管されるとともに、インデックスプリントＩＰが写真プリント装置１によって出力され、ユーザに渡されるように構成されていたが、受付機４にインクジェット式プリンタなどを備えることで図６に示すようなインデックスプリントＩＰをその場で出力する機能を持たせてもよい。この場合、写真プリントＦＰは先に出力されたインデックスプリントＩＰを見ながら注文サーバ部５を通じて注文することで出力されることになる。この受付機４の機能をコンビニなどの設置されている通信端末ボックスに構築しておくと、ユーザの利便性はさらに高くなる。
【産業上の利用可能性】
【００２９】
本発明による写真プリントシステムは、ＱＲコードなどのコード情報を読み取る機能を有する携帯電話などのユーザ端末から、インデックスプリントを仲介として簡単に撮影コマ画像の写真プリントを注文するビジネスモデルに利用することが出来る。
【図面の簡単な説明】
【００３０】
【図１】本発明による写真プリントシステムの模式的構成を示すブロック図
【図２】本発明による写真プリントシステムの具体的構成を示す斜視図
【図３】受付機と画像サーバ部と写真プリント装置の構成を示すブロック図
【図４】受付機の外観を示す斜視図
【図５】注文サーバ部の模式的構成を示すブロック図
【図６】インデックスプリントの一例を示す平面図
【図７】画面表示された注文表の一例を示す平面図
【図８】インデックスプリントを仲介とした写真プリント注文における注文準備段階を示すフローチャート
【図９】インデックスプリントを仲介とした写真プリント注文における注文実行段階を示すフローチャート
【符号の説明】
【００３１】
１：写真プリント装置
４：受付機
５：注文サーバ部
６：画像サーバ部
７：ユーザ端末（カメラ付き携帯電話）
８：インターネット
２０：プリントステーション（プリント出力部）
３０：コントローラ
３１：ＱＲコード作成部
３２：注文情報処理部
５０：ＷＷＷサーバユニット部
５１：アプリケーションサーバ部
５１ａ：注文ページ作成部
５１ｂ：注文情報作成部
ＩＰ：インデックスプリント
ＦＰ：写真プリント
【図１】
2005223526.tif 000003
【図２】
2005223526.tif 000004
【図３】
2005223526.tif 000005
【図４】
2005223526.tif 000006
【図５】
2005223526.tif 000007
【図６】
2005223526.tif 000008
【図７】
2005223526.tif 000009
【図８】
2005223526.tif 000010
【図９】
2005223526.tif 000011